(57)【要約】  【課題】  張出部支保工10,10'を２つの主桁11,11'の間に対向させて設置することによって、支保工1を提供する。  【解決手段】  中空の第一梁部材12とその中にスライド可能に挿入された第二梁部材13から構成される長さ可変の梁と、第一梁部材12の基端を主桁11に固定する固定部材22と、３本の上部支柱部材14b, 14c, 14eと１本の下部支柱部材14aと連結部14dから構成される長さ可変の支柱を有し、３本の上部支柱部材の上端は中空の第一梁部材12の先端及び基端並びに第二梁部材13の先端とそれぞれ連結されてなる張出部支保工10が、梁の先端の間隔をあけて主桁11,11'の間に対向して設置されるとともに梁の両先端部を覆う形でカバー部材80が載置されていることを特徴とする支保工1。  【選択図】図３
2005139861.tif 000002
【特許請求の範囲】
【請求項１】
中空の第一梁部材とその中にスライド可能に挿入された第二梁部材から構成される長さ可変の梁と、第一梁部材の基端を主桁に固定する固定部材と、３本の上部支柱部材と１本の下部支柱部材と連結部から構成される長さ可変の支柱を有し、３本の上部支柱部材の上端は中空の第一梁部材の先端及び基端並びに第二梁部材13の先端とそれぞれ連結されてなる張出部支保工が、梁の先端の間隔をあけて主桁の間に対向して設置されるとともに梁の両先端部を覆う形でカバー部材が載置されていることを特徴とする支保工。
【請求項２】
支柱の下部部材が長さ可変であることを特徴とする請求項１記載の支保工。
【請求項３】
支柱の上部部材のうち少なくとも第二梁部材の先端と連結される上部部材が長さ可変であることを特徴とする請求項１又は２記載の支保工。
【請求項４】
コンクリート床版打設用であることを特徴とする請求項１から３までのいずれかに記載の支保工。
【請求項５】
請求項１から４までのいずれかに記載の橋梁用支保工に用いるカバー部材であって、カバー部材の両端に張出部材が下方向に張り出して設けられていることを特徴とするカバー部材。
【請求項６】
カバー部材の両端の張出部材には孔を穿たれていることを特徴とする、請求項５に記載のカバー部材。
【請求項７】
孔には先端に可動ロック金具を有するＬピンが挿入されていることを特徴とする、請求項５又は６に記載のカバー部材。
【請求項８】
カバー部材が、底辺がなく内部が空洞の凸形状の断面形状を有することを特徴とする、請求項５から７までのいずれかに記載のカバー部材。
【発明の詳細な説明】
【技術分野】
【０００１】
本発明は、橋梁や建物等に用いられる支保工に関するものであり、特にコンクリート床版を設置する際のコンクリート床版を打設するための支保工に関する。
【背景技術】
【０００２】
道路等が架けられる橋梁においてはその路盤を支持するために支保工が設置される。路盤にはコンクリート床版等が用いられるが、そのコンクリート荷重を支持し、かつ床版の型枠を所定位置に固定するための支保工としては、桁間部支保工と張出部支保工が用いられてきた。
【０００３】
桁間部支保工は、隣接する２つの主桁の間に１本の梁を架け渡すものであり、梁の両端はそれぞれの主桁に固定された固定端となる。
【０００４】
これに対して、張出部支保工は、２つの主桁の間に１本の梁を架け渡すものではなく、梁の片端は１つの主桁に固定されているが、他端は主桁に固定されておらず、自由端である。
【０００５】
したがって、隣接する２つの主桁の間に１本の梁を架け渡す支保工には桁間部支保工が用いられ、主桁の外側の張出部には張出部支保工が用いられてきた。
【０００６】
桁間部支保工としては、橋梁の主桁の上に支柱を設置し、互いに隣接する支柱間にコンクリート床版を固定し、かつ支持する受け梁を架け渡したものや、互いに隣接する主桁間に支持梁を架け渡しこの支持梁上に複数の支柱を設置した上に受け梁を架け渡したものがある。また、梁の長さや支柱の高さを可変とする桁間部支保工も知られている。
【０００７】
図７は、長さと高さの調整機能付きのトラス式ビームの側面図である。この桁間部支保工は、長さ可変の支柱14,14'と、第一梁部材12とその中にスライド挿入可能な第二梁部材13とから構成される長さ可変の梁からなる。この梁の両端は隣接する橋梁の主桁11,11'にそれぞれ固定されるとともに、支柱14,14'の基端は主桁の下フランジ15,15'にそれぞれ固定される。ここで、支柱14,14'は、腰管36と差込管37から構成されていて、差込管37の腰管36への差し込み深さを変えることにより支柱高さを可変としている。
【０００８】
この桁間部支保工の複数個が２つの主桁11,11'の間に、所定間隔を置いて路面幅方向に架け渡され、固定され、桁間部支保工の複数を直角に貫く形で単管（図示せず）を水平に通しかつ交差部分をクランプ（図示せず）で繋ぎ止めることによって、２つの主桁11,11'の間に、複数の桁間部支保工からなるフレームワークが形成される。
【０００９】
このようにして形成されたフレームワークがコンクリート床版を打設するために用いられる。すなわち、このフレームワークを構成する梁（ここでは、第一梁部材12と第二梁部材13とから構成されている）のそれぞれの上に根太梁38が設置され、さらにこれと直角に桟木39が設置され、そして、その上に、コンクリート床版40が打設される。
【００１０】
特許文献１には、このような長さと高さの調整機能付きのトラス式ビームからなる支保工にあっては、隣接する主桁11,11'との間の間隔が広くなる場合、第一梁部材12と第二梁部材13が長大化かつ重量化し、それに伴って設置や輸送に困難が生じるとの問題点があり、それを解決するものとして、別の桁間部支保工が提案されている。
【００１１】
図８は、この桁間部支保工5の側面図である。この桁間部支保工5は、隣接する２つの主桁11,11'の間を架け渡してその両端を吊りボルト16,16'によって固定する梁を、２本の中空の第一梁部材12とその中に挿入される１本の第二梁部材13から構成することによって梁の長さを可変とするとともに、梁の両端部を２本の上部支柱部材14b, 14cと１本の長さ可変の下部支柱部材14aと連結部14dから構成される支柱によって、それぞれ、下から支持するものである。そして、上部支柱部材14cは中空の第一梁部材12の基端に連結され、上部支柱部材14bは中空の第一梁部材12の先端と連結されている。
【００１２】
この桁間部支保工の複数個からフレームワークが形成され、コンクリート床版を打設するために用いられる。
【００１３】
【特許文献１】特開２００１−１４０２２２号公報
【発明の開示】
【発明が解決しようとする課題】
【００１４】
しかしながら、このような梁長さが可変の桁間部支保工であっても、第一梁部材と第二梁部材とから構成される梁の長さには一定の制約があるため、主桁間を架け渡す梁の長さが主桁間距離に適合しない場合がある。また、建設現場では、この桁間部支保工に加えて張出部支保工も用意しなければならない場合もあり、作業効率面及びコスト面で問題がある。
【００１５】
このような問題を解決するために、桁間部支保工を用いて主桁間に梁を架け渡す代わりに、張出部支保工を２つの主桁の間に対向させて設置することで、主桁間のコンクリート床版等の路盤を支持するための支保工として用いることが考えられる。こうすれば、主桁間距離の変化にも対応しやすいし、また、張出部支保工を用意するだけで足りることになる。
【００１６】
このような着想の下で、本発明者は、梁を１本の中空の第一梁部材とその中に挿入される１本の第二梁部材13から構成することによって梁の長さを可変とし、第一梁部材の基端を主桁に固定し、第二梁部材の先端を自由端とする張出部支保工を２つの主桁の間に対向させて設置してなる支保工について検討するとともに、このような支保工の複数個から形成されるフレームワークをコンクリートを打設するために用いることについて検討した。
【００１７】
張出部支保工を２つの主桁の間に対向させる態様としては、まず、対向する梁の先端が互いに入れ違いになるように向き合わせる場合と、対向する梁の先端の間隔をあけて突き合わせる場合とがある。そして、対向する梁の先端の間隔をあけて突き合わせる場合には、そのまま間隔をあけて使用するときと、対向する梁を連結金具で連結して使用するときが想定できる。
【００１８】
しかしながら、梁の先端を連結金具で連結する場合を除いて、いずれも、梁の先端が自由端であるため、梁の支持部には大きな曲げモーメントが発生し、梁の破壊を引き起こすおそれがある。また、梁の先端部には振れが発生するため、梁部材上の作業者の安全上の問題がある。
【００１９】
そして、梁の先端を連結金具で連結して使用する場合は、実質的に１本の梁を主桁間に架け渡すことになるので、連結してしまえば、梁の破壊を引き起こすおそれはなく、また、梁の先端部に振れが発生することもなくなる。しかしながら、連結するためには、対向する梁の芯を合わせて「通り芯」を出す必要があるが、その調整には時間がかかるので、連結するまでは、梁の破壊のおそれと作業者の安全上の問題は残る。
【００２０】
さらに、連結後も、第一梁部材と第二梁部材の上面は第一梁部材の厚み分だけ第一梁部材の方が高いので、梁の上面が主桁間の中心部で凹みが発生する。したがって、その上に設置される根太梁と桟木がしなるので、その後のコンクリート床版固定型枠を支持するときに不都合が生じる。
【課題を解決するための手段】
【００２１】
本発明者は、梁を１本の中空の第一梁部材とその中に挿入される１本の第二梁部材13から構成することによって梁の長さを可変とし、第一梁部材の基端を主桁に固定し、第二梁部材の先端を自由端とする張出部支保工を２つの主桁の間に対向させて設置することで得られる支保工について、さらに、検討した結果、次の(1)〜(6)の知見を得た。
【００２２】
(1)梁の先端が自由端であるため、梁の支持部には大きな曲げモーメントが発生する問題については、梁の支柱の上部部材を２本の上部部材だけではなく、さらに第三上部部材を設置するとともにこの第三上部部材によって第二梁部材の先端を支持することによって、梁の支持部に生じる曲げモーメントを小さくすることができる。
【００２３】
第三上部部材は、第二梁部材の引き出し長さを容易に調節できるようにその長さを可変とすることが好ましい。その長さの可変方法は、たとえば、下部部材と同様に、第三上部部材を腰管と差込管から構成して、差込管の腰管への差し込み深さを変える方法を採用することができる。
【００２４】
(2)梁の先端が自由端であるため、梁の先端部に振れが発生する問題についても、支柱に第三上部部材を設置することによって、梁の先端部に生じる振れを小さくすることができる。
【００２５】
(3)梁の先端部に生じる振れは、対向する２つの第二梁部材の両先端部を覆う形で、２つの第二梁部材の上にカバー部材を載置することによって、さらに小さくすることができる。
【００２６】
(4)対向する第二梁部材の先端の上下段差が少々あっても、カバー部材を載置すればそのカバー部材の傾斜度が小さいため、作業に支障のない程度に上下段差を解消できる。したがって、第二梁部材の上の作業者の安全を確保することができる。
【００２７】
(5)対向する第二梁部材の先端の上下段差が大きすぎるとカバー部材を載置してもカバー部材の傾斜度が大きいため作業しにくいので、第二梁部材の先端の位置を調整して先端の上下段差を解消する必要が生じるが、カバー部材が載置されているとカバー部材の傾斜度を目安として、第二梁部材の先端の位置を調整することが可能となる。
【００２８】
(6)第一梁部材の部材と同等の厚みのカバー部材が第二梁部材の上に載置されれば、第一梁部材とカバー部材の上面が面一となり、その上に設置される根太梁と桟木がしなることはないので、その後、コンクリート床版固定型枠を支持するときに不都合が生じない。
【００２９】
本発明にかかる支保工は、これらの知見に基づいて完成したものであり、次に記載する通りである。
【００３０】
「中空の第一梁部材とその中にスライド可能に挿入された第二梁部材から構成される長さ可変の梁と、第一梁部材の基端を主桁に固定する固定部材と、３本の上部支柱部材と１本の下部支柱部材と連結部から構成される長さ可変の支柱を有し、３本の上部支柱部材の上端は中空の第一梁部材の先端及び基端並びに第二梁部材13の先端とそれぞれ連結されてなる張出部支保工が、梁の先端の間隔をあけて主桁の間に対向して設置されるとともに梁の両先端部を覆う形でカバー部材が載置されていることを特徴とする支保工。」
ここで、第一梁部材の基端を主桁に固定する固定部材は、特に限定されるものではない。たとえば、受け金具や吊りボルトを用いることができる。
【００３１】
また、支柱の長さの可変方法は、上部部材又は下部部材を腰管と差込管から構成して、差込管の腰管への差し込み深さを変える方法が採用できるが、特に限定されるものではない。
【００３２】
また、本発明にかかるカバー部材も、これらの知見に基づいて完成したものであり、カバー部材の両端に張出部材が下方向に張り出して設けられていることを特徴とする。カバー部材の両端の張出部材には孔を穿たれていることが好ましい。また、孔には先端に可動ロック金具を有するＬピンが挿入されることが好ましい。さらに、カバー部材の断面形状は、底辺がなく内部が空洞の凸形状が好ましい。
【発明の効果】
【００３３】
張出部支保工の梁と支柱を本発明で特定する構造として２つの主桁の間に対向させて設置することによって、これらの張出部支保工を、橋梁における路盤、特にコンクリート床版の路盤を支持するための桁間部支保工として機能させることができる。
【発明を実施するための最良の形態】
【００３４】
本発明に係る支保工1 の一例を図面を用いて説明する。
【００３５】
図１は、本発明を構成する、梁と支柱からなる張出部支保工10である。梁は中空の第一梁部材12とその中に挿入された第二梁部材13から構成されている。ここでは、それぞれの梁部材に複数個設けられた貫通孔18・・・・・18からそれぞれ1個選択してピンで固定することによって梁長さを可変とすることができるものである。
【００３６】
第一梁部材12の基部は、ここでは、位置調整ボルト（図示せず）を有する受け金具22によって主桁11に固定されている。なお、当てボルト23はその調整位置を固定するためのものであって、位置調整後に主桁フランジ17の下面に押しつけられることによって、その調整位置が固定される。
【００３７】
そして支柱は３本の上部部材14b, 14c, 14eと１本の長さ可変の下部部材14aから構成されていて、３本の上部部材の下端はいずれも下部部材の上端と連結部14dで連結され、３本の上部部材の上端は、それぞれ、中空の第一梁部材12の基端と先端、そして第二梁部材13の先端と連結されて梁を支持する。
【００３８】
第三上部部材14eは、ここでは、その長さが可変のものが用いられている。長さの可変方法は、特に限定されるものではなく、たとえば、第三上部部材14eを腰管と差込管から構成して、差込管の腰管への差し込み深さを変える方法が採用できる。下部部材14aの可変方法も、第三上部部材と同様の方法を採用することができる。
【００３９】
図２(a)は第一梁部材12の断面形状の例であり、図２(b)は第二梁部材13の断面形状の例である。それぞれ、図１のＡ−Ａ断面とＢ−Ｂ断面に対応する。図２(a)と(b)から、第二梁部材13が第一梁部材12の内部にスライド可能に挿入できる形状であることが分かる。
【００４０】
図３は、本発明にかかる支保工1であって、この張出部支保工10を主桁間に、梁の先端の間隔を数十ｍｍから百数十ｍｍ程度あけて対向させて設置したのち、カバー材80を載置することを示す図である。
【００４１】
上記の張出部支保工10の支柱14の下部部材14aの基端21を主桁11の下フランジ15に設置するとともに、張出部支保工10の第一梁部材12の基端部を受け金具22によって主桁11に固定する。
【００４２】
同様にして、張出部支保工10' を反対側の主桁11' に取り付けることによって、２つの主桁11, 11' の間に２つの張出部支保工10,10' を対向して設置する。このとき、２つの張出部支保工10,10' の先端（すなわち、２つの第二梁部材13, 13' の先端）の間隔があいている。梁の先端の間隔の調整は、第一梁部材と第二梁部材にそれぞれ複数個設けられた貫通孔18・・・・・18からそれぞれ1個選択してピンで固定することによって梁長さを可変とすることができるが、他の方法で固定してもよく、固定方法はピンに限定されるものではない。
【００４３】
そして、２つの第二梁部材13, 13' の両先端部を覆う形で１つのカバー部材80を載置する。
【００４４】
図４(a)は、２つの第二梁部材13, 13' の両先端部を覆う形で１つのカバー部材80を載置したときの両先端部の側面拡大図であり、図４(b)はそのＣ−Ｃ断面をさらに拡大した図である。図４(a)と(b)から、カバー部材80が第二梁部材13,13'の上に載置されていることが分かる。そして、カバー部材が外れないようにカバー部材の両端下部にＬピン（図示せず） を通すことによって、本発明にかかる支保工が形成される。
【００４５】
次に、本発明で用いるカバー部材について説明する。
【００４６】
図５は、カバー部材80の一例（長さ1000ｍｍ、肉厚3ｍｍである。上面凸部のみは6ｍｍ厚である。）を示す側面図である。カバー部材80の両端には、Ｌピン用孔82,82'を穿った三角形状の張出部材が下方向に張り出して設けられている。
【００４７】
Ｌピン81,81'は先端に可動ロック金具83,83'を有している。可動ロック金具は、Ｌピン81,81'をカバー部材80の張出部に穿たれたＬピン用孔82,82'に通した後に作動させて、Ｌピンが孔から外れないようにするためのものである。これによって、カバー部材を載置した後、作業者が誤ってカバー部材80を落としてしまうことが防止できる。
【００４８】
図６は、カバー部材80の断面形状であり、底辺がなく内部が空洞の凸形状を有する。図６(a)は図５のＤ−Ｄ断面図、そして、図６(b)は、Ｅ−Ｅ断面図を、それぞれ、示す。カバー部材80の上面の幅は、第二梁部材13の幅より数ｍｍ大きく形成されていて、第二梁部材13の上に載置できるようになっている。カバー部材80の下端には折れ曲がり部85が設けてあるが、これはカバー部材80を積み重ねて運搬又は保管する際に、上下に積み重ねたカバー部材が噛み込むことになるので、水平変位しにくくなって荷崩れすることがなくなるとともに、積み重ね高さを低くすることができるためであり、このような効果を期待する必要がない場合は、カバー部材80の下端には折れ曲がり部が設けなくてもよい。
【００４９】
このカバー部材80は、対向する２つの第二梁部材13, 13'の両先端部を覆う形で、２つの第二梁部材13, 13'の上に載置され、カバー部材が第二梁部材から外れ落ちないようにＬピン81,81'がＬピン用孔82,82'に通され、ロックが掛けられる。Ｌピンは、第二梁部材の下方に存在するカバー部材の下方張出部のみを貫通するものであって、第二梁部材を固定するものではないから、カバー部材は第二梁部材の水平長さ方向には移動自在であり、上下方向には固定されることになる。
【００５０】
したがって、カバー部材80は、次の(a)〜(e)に記載の効果を有する。
【００５１】
(a)対向する張出部支保工10,10'はそれぞれの主桁11, 11' に取り付けられていて、第二梁部材13, 13' の先端はいずれも自由端になっている。したがって、第二梁部材13, 13' の先端に別々の振れが生じることがあるが、そのような振れを第二梁部材上に載置したカバー部材80によって抑制することができる。
【００５２】
(b)対向する第二梁部材13, 13' の先端間の間隔が少々変位しても、カバー部材を対向する梁の先端部に無理なく載置することが可能となるし、カバー部材は水平長さ方向には移動可能であるからその位置を調節することも可能となる。
【００５３】
(c)第一梁部材12,12' と第二梁部材13,13' の上面は、第一梁部材12,12'の部材の厚み分だけ、第一梁部材12,12'の方が高い。したがって、同等の厚みのカバー部材80が第二梁部材13,13'の上に載置されれば、第一梁部材12,12'とカバー部材80の上面が面一となる。そして、この支保工の複数個から形成されるフレームワークの上に設置される根太梁と桟木がしなることはないので、その後、コンクリート床版を打設するときに不都合が生じない。
【００５４】
(d)対向する第二梁部材13, 13' の先端の上下段差が少々あっても、カバー部材80を載置すればそのカバー部材80の傾斜度が小さいため、作業に支障のない程度に上下段差を解消できる。したがって、第二梁部材の上の作業者の安全を確保することができる。
【００５５】
(e)対向する第二梁部材13, 13' の先端の上下段差が大きすぎるとカバー部材80を載置してもカバー部材80の傾斜度が大きいため作業しにくいので、第二梁部材の先端の位置を調整して先端の上下段差を解消する必要が生じるが、カバー部材80が載置されているとカバー部材80の傾斜度を目安として、第二梁部材の先端の位置を調整することが可能となる。
【産業上の利用可能性】
【００５６】
張出部支保工の梁と支柱を本発明で特定する構造として２つの主桁の間に対向させて設置することによって、これらの張出部支保工を、橋梁における路盤、特にコンクリート床版の路盤を支持するための桁間部支保工として機能させることができる。
【図面の簡単な説明】
【００５７】
【図１】本発明を構成する張出部支保工の一例を示す。
【図２】(a)は第一梁部材12の断面形状の一例を示し、(b)は第二梁部材の断面形状の一例を示す。それぞれ、図１のＡ−Ａ断面とＢ−Ｂ断面に対応する。寸法の単位はいずれもｍｍである。
【図３】本発明に係る支保工であって、張出部支保工を主桁間に対向させて設置したのち、カバー材を載置することを示す。
【図４】(a)は２つの第二梁部材の両先端部を覆う形で１つのカバー部材を載置したときの両先端部の側面拡大図を示し、(b)はそのＣ−Ｃ断面をさらに拡大する図を示す。
【図５】カバー部材の一例を示す（側面図）。
【図６】カバー部材の断面形状を示す。(a)、(b)は、それぞれ、図５のＤ−Ｄ断面図とＥ−Ｅ断面図を示す。寸法の単位はいずれもｍｍである。
【図７】長さと高さの調整機能が付いたトラス式ビームの一例の側面図を示す。
【図８】桁間部支保工の一例の側面図を示す。
【符号の説明】
【００５８】
１            本発明に係る支保工
５            桁間部支保工
１０、１０'  張出部支保工
１１、１１'  主桁
１２、１２'  第一梁部材
１３、１３'  第二梁部材
１４、１４'  支柱
１４ａ、１４ａ'  下部支柱部材
１４ｂ、１４ｂ'  上部支柱部材（第一梁部材の先端と連結されている）
１４ｃ、１４ｃ'  上部支柱部材（第一梁部材の先端と連結されている）
１４ｄ、１４ｄ'  支柱部材の連結部
１４ｅ、１４ｅ'  第三上部支柱部材（第二梁部材の先端と連結されている）
１５、１５'  主桁の下フランジ
１６、１６'  吊りボルト
１７、１７'  主桁の上フランジ
１８  貫通孔
２１  支柱の下部部材の基端
２２、２２'  受け金具
２３、２３'  当てボルト
３６  腰管
３７  差込管
３８  根太梁
３９  桟木
４０  コンクリート床版
８０  カバー部材
８１、８１'  Ｌピン
８２、８２'  Ｌピン用孔
８３，８３'  可動ロック金具
８５  折れ曲がり部
【図１】
2005139861.tif 000003
【図２】
2005139861.tif 000004
【図３】
2005139861.tif 000005
【図４】
2005139861.tif 000006
【図５】
2005139861.tif 000007
【図６】
2005139861.tif 000008
【図７】
2005139861.tif 000009
【図８】
2005139861.tif 000010